(57)【要約】【課題】  マイクロ積み木を挟持して位置決め体上に置き、独創的なパズルを作る。【解決手段】  マイクロ積み木セットは、複数の位置決め体を有するベースと、該位置決め体上に置かれる複数の積み木本体と、マニピュレータを有する。マニピュレータの、挟持部のフォーク体により積み木本体を挟持し、ベースの位置決め体上に積み木本体を拾い置きする。【選択図】  図１
0003159935.tif 000002
【実用新案登録請求の範囲】
【請求項１】
複数の位置決め体を有するベースと、
該ベースの位置決め体上に置かれる複数の積み木本体と、
挟持部を有し、該挟持部に、開口を有するフォーク体が形成され、該開口を有する該フォーク体により、該積み木本体を挟持し、該ベースの該位置決め体上に対して該積み木本体を拾い置きするマニピュレータとを含むマイクロ積み木セット。
【請求項２】
該ベース上に該積み木本体を覆い固定して保護する透明蓋体をさらに含むことを特徴とする請求項1記載のマイクロ積み木セット。
【請求項３】
該それぞれの積み木本体の材質はプラスチック又はシリカゲルであることを特徴とする請求項1記載のマイクロ積み木セット。
【請求項４】
該それぞれの積み木本体は互いに異なる単一の色に色付けしたもの、又は階調のある色に色付けしたものであることを特徴とする請求項1記載のマイクロ積み木セット。
【請求項５】
該それぞれの積み木本体は互いに異なる単一の色の模様、又はカラーの模様からなることを特徴とする請求項1記載のマイクロ積み木セット。
【請求項６】
該マニピュレータは孔を有するハウジングと、押圧部とをさらに含み、該挟持部は該ハウジングの該孔に出没可能に設置され、該押圧部により該挟持部を該ハウジングから出したり、該ハウジング内に隠したりすることを特徴とする請求項1記載のマイクロ積み木セ
ット。
【請求項７】
ベース上に対してマイクロ積み木を拾い置きするためのマニピュレータであって、孔を有するハウジングと、
該ハウジングの孔に出没可能に設置され、開口を有するフォーク体により該マイクロ積み木を挟持し、該ベース上に対して該マイクロ積み木を拾い置きする挟持部とを含むマニピュレータ。
【請求項８】
表面を有する製品に応用されるマイクロ積み木パズルセットであって、表面を有する製品及びマイクロ積み木セットを含み、該マイクロ積み木セットは、複数の位置決め体を有し、該製品の該表面と組み合わせられるベースと
該ベースの位置決め体上に置かれる複数の積み木本体と、
挟持部を有し、該挟持部に、開口を有するフォーク体が形成され、該開口を有する該フォーク体により該積み木本体を挟持し、該ベース上に対して該積み木本体を拾い置きするマニピュレータとを含むマイクロ積み木パズルセット。
【考案の詳細な説明】
【技術分野】
【０００１】
本考案はマイクロ積み木セット及びその応用製品に関し、特に、個人流の独創性を表現できるような、創造性及び娯楽性を兼ねるマイクロ積み木セット及びその応用製品に関する。
【背景技術】
【０００２】
一般に積み木は種類が多く、本体の構造が方形、円形及び他の不規則な形をする。また、ユーザーが該積み木を積み上げ及び係合で組み合わせて組立体を作っているとき、積み木はユーザーの想像力を啓発することができる。しかし、各種のレンガ状の積み木、又は細長い積み木を各種の形状に積み上げることは積み木の単一な組み合わせのみを行い、ユーザーを啓発するものはない。
【０００３】
一方、模様が印刷された絵を、複数種の形状を有する一定の数の断片又はブロックに切断し、使用時にそれらの断片、又はブロックを突合せて繋ぎ合わせることにより元の絵を復元するパズルもあるが、個人流の独創性を表現したり、想像力を啓発したりすることはできない。
【０００４】
このように、積み木やパズルなどの玩具はともに、ユーザーが遊んでいるとき想像力及び創造力を発揮させることはできない。
【０００５】
また、積み木は指先で取って遊ぶので、体積が大きいが、指先で取れないほど小さい積み木が未だ市販されていないのが現状である。
【０００６】
そこで、ユーザーが興味を感じながら想像力及び創造力を発揮できるような、創造性及び娯楽性を兼ねるマイクロ積み木セットを提供することを、本産業における解決しようとする問題とする。
【考案の概要】
【考案が解決しようとする課題】
【０００７】
本考案の目的は、マニピュレータの特別な構造によりマイクロ積み木をクランプ及び押し付けて挟持して個人流の独創的なパズルを作るためのマイクロ積み木セットを提供することにある。
【０００８】
本考案の他の目的はカラーのマイクロ積み木を独創的な模様に繋ぎ合わせ、製品と組み合わせて個人流の商品を作る、製品に応用されるマイクロ積み木パズルセットを提供することにある。
【課題を解決するための手段】
【０００９】
上記の目的を達成するためのマイクロ積み木セットは、複数の位置決め体を有するベースと、該ベースの位置決め体上に置かれる複数の積み木本体と、挟持部を有し、該挟持部に、開口を有するフォーク体が形成され、該開口を有する該フォーク体により、該積み木本体をクランプ及び押し付けて挟持し、該ベースの該位置決め体上に対して該積み木本体を拾い置きするマニピュレータとを含む。
【００１０】
上記の目的を達成するためのマニピュレータは、ベース上に対してマイクロ積み木を拾い置きするためのマニピュレータであって、孔を有するハウジングと、該ハウジングの孔に出没可能に設置され、、開口を有するフォーク体により該マイクロ積み木をクランプ及
び押し付けて挟持し、該ベース上に対して該マイクロ積み木を拾い置きする挟持部とを含む。
【００１１】
上記の目的を達成するためのマイクロ積み木パズルセットは、表面を有する製品に応用されるマイクロ積み木パズルセットであって、表面を有する製品及びマイクロ積み木セットを含み、該マイクロ積み木セットは、複数の位置決め体を有し、該製品の該表面と組み合わせられるベースと該ベースの位置決め体上に置かれる複数の積み木本体と、挟持部を有し、該挟持部に、開口を有するフォーク体が形成され、該開口を有する該フォーク体により該積み木本体をクランプ及び押し付けて挟持し、該ベース上に対して該積み木本体を拾い置きするマニピュレータとを含む。
【図面の簡単な説明】
【００１２】
【図１】本考案のマイクロ積み木セットを示す斜視図。
【図２】本考案のマニピュレータの挟持部がハウジングに隠れている状態を示す斜視図。
【図３Ａ】本考案のマイクロ積み木セットの動作を示す模式図。
【図３Ｂ】本考案のマイクロ積み木セットの動作を示す模式図。
【図４】は本考案のマイクロ積み木パズルセットが表面を有する製品に応用された実施例を示す模式図。
【考案を実施するための形態】
【００１３】
図１は、本考案のマイクロ積み木セットを示す斜視図である。図１に示すように、本考案のマイクロ積み木セット100は、複数の位置決め体11を有するベース10と、ベース10の
位置決め体11上に置かれる複数の積み木本体20と、挟持部31とを有し、挟持部31に、開口を有するフォーク体が形成され、積み木本体20をクランプ及び押し付けて挟持し、ベース10の位置決め体11上に対して積み木本体20を拾い置きするマニピュレータ30とを含む。
【００１４】
本考案のマイクロ積み木セット100は透明蓋体40をさらに含む。透明蓋体40は、図柄に
繋ぎ合わせられた積み木本体20をベース10上に覆い固定して保護するためのものである。透明蓋体40は裝飾品として用いられ、吊り下げ用の留め具（図示せず）と組み合わせてチャームとしても用いられる。
【００１５】
本実施例において、単一の積み木本体20の寸法は約2mmであり、且つ積み木本体20の材
質はプラスチック、シリカゲル又は積み木に適するその他の材質である。また、それぞれの積み木本体20は互いに異なる単一の色に色付けしたもの、又は階調のある色に色付けしたものである。これにより、ユーザーは個人のアイデア又は既存の図柄によって積み木本体20を様々な種類の模様に繋ぎ合わせることができる。さらに、本考案のそれぞれの積み木本体20の表面上にカラーの模様が印刷されていてもよい。これにより、ユーザーが積み木本体20をカラフルな模様に繋ぎ合わせることができる。
【００１６】
図２は本考案のマニピュレータの挟持部がハウジングに隠れている状態を示す斜視図である。図１及び図２に示すように、本考案のマニピュレータ30は挟持部31、ハウジング32及び押圧部33を含む。ハウジング32は孔34を有し、挟持部31はハウジング32の孔34に出没可能に設置されている。押圧部33により挟持部31をハウジング32から出したり、ハウジング32内に隠したりすることができる。挟持部3 1に、開口を有するフォーク体が形成され
ている。開口を有するフォーク体により積み木本体20をクランプ及び押し付けて挟持し、ベース10上に対して積み木本体20を拾い置きすることができる。
【００１７】
図３A及び図３Bは，本考案のマイクロ積み木セットの動作を示す模式図である。図３A
及び図３Bに示すように、まず、個人のアイデアに基づき繋ぎ合わせようとする図柄に基
づき、挟持部31のフォーク体にて積み木本体20をクランプ及び押し付けて挟持してベース10の位置決め体11上に置く。、さらに同様に別の色の模様を有する積み木本体20を挟持部31のフォーク体により拾ってベース10の位置決め体11上に置く。このような作業を繰り返し、希望通りの図柄が完成すると、完成した図柄と透明蓋体40を組み合わせて本考案のマイクロ積み木セット100を完成する。
【００１８】
図４は表面を有する製品に応用される本考案のマイクロ積み木パズルセットを示す模式図であり、表面を有する製品及び繋ぎ合わせ済みの積み木本体のみを示している。図４に示すように、本考案のマイクロ積み木パズルセットは表面51を有する製品に応用され、製品50及びマイクロ積み木セット100（図１を参照）を含む。製品50は例えば電子製品、装
飾品及び室内用品である。本実施例において、製品50は携帯電話である
【００１９】
マイクロ積み木セット100（図１を参照）は複数の位置決め体11を有し、製品50の表面51と組み合わせられるベース10と、ベース10の位置決め体11上に置かれる複数の積み木本
体20と、挟持部31を有し、挟持部31に、開口を有するフォーク体が形成され、開口を有するフォーク体により、積み木本体20をクランプ及び押し付けて挟持し、ベース10の位置決め体11上に対して積み木本体20を拾い置きするマニピュレータ30とを含む。
【００２０】
本考案のマイクロ積み木パズルセットはまず、挟持部31のフォーク体により、積み木本体20をクランプ及び押し付けて挟持し、積み木本体20を拾って、ベース10の位置決め体11上に置く。さらに、上記と同様な方法により別の色の模様を有する積み木本体20を拾ってベース10の位置決め体11上に置く。このような作業を繰り返し、個人のアイデアに基づき繋ぎ合わせようとする図柄を完成する。本実施例において、繋ぎ合わせた図柄はハート形の図柄である。希望通りの図柄が完成すると、透明蓋体40により、図柄に繋ぎ合わせた積み木本体20をベース10に覆い固定して保護し、最後にこれらのものの組立体と製品50の表面51とを組み合わせて本考案のマイクロ積み木パズルセットを完成する。
【００２１】
以上のように、本考案のマイクロ積み木セットは創造性及び娯楽性を兼ねるものであり、開口を有するフォーク体により、積み木本体をクランプ及び押し付けて挟持し、ベースの位置決め体上に対して積み木本体を拾い置く。また、積み木本体を互いに異なる色に色付けたので、個人のアイデアに依り異なる図柄に繋ぎ合わせ、娯楽性及び創造性を向上することができる。さらに、個人のアイデアに依り繋ぎ合わせた図柄を、表面を有する物品や装飾品、電子製品と組み合わせて、個人流の独創的な製品を作ることができる。
【符号の説明】
【００２２】
１０…ベース、１１…位置決め体、２０…積み木本体、３０…マニピュレータ、３１…把持部、３２…ハウジング、３３…押圧部、３４…孔、４０…透明蓋体、５０…製品、５１…表面、１００…マイクロ積み木セット。
【図１】
0003159935.tif 000003
【図２】
0003159935.tif 000004
【図３Ａ】
0003159935.tif 000005
【図３Ｂ】
0003159935.tif 000006
【図４】
0003159935.tif 000007